(57)【特許請求の範囲】
【請求項１】
略箱状のケースと、このケース上面に突出した操作体の操作によって電気的接離を行うスイッチ接点と、このスイッチ接点の電気的接離に応じて送信手段からリモコン信号を送信する制御手段と、両端に形成された一対の支持部を支点として、上記ケースに開閉可能に装着された扉体からなり、上記扉体の上記支持部間の下面中間部に係合部を形成すると共に、上記ケース端部には、上記扉体が開閉する支点となる保持部の端部に上記係合部と係合する係止部が設けられ、上記扉体を開くと、上記扉体の上記係合部が、上記ケースの上記係止部の上面に当接して上記扉体を開いた状態で保持しうると共に、さらに上記扉体を開くと、上記扉体の上記係合部が上記ケースの上記係止部の下面に当接して、上記扉体をさらに開いた状態で保持しうるリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器の高機能化が進むなか、これらを遠隔操作するリモコン送信機においても、扉体等の開閉や移動によって操作機能を増やし、多様な操作を可能にしたものが増えている。
【０００３】
このような従来のリモコン送信機について、図４及び図５を用いて説明する。
【０００４】
図４は従来のリモコン送信機の部分断面図であり、同図において、１は略箱状で絶縁樹脂製のケース、２はゴム等の下操作体で、複数の下操作体２が下方に設けられた略ドーム状の薄肉部によって、上下動可能に連結形成されると共に、これらの下操作体２上面がケース１上面から突出している。
【０００５】
そして、３は上下面に複数の配線パターン（図示せず）が形成された配線基板で、この上面に下操作体２が載置されると共に、配線基板３上面には、各下操作体２下面に形成されたカーボン等の可動接点（図示せず）と、所定の間隙を空けて対向する複数の固定接点（図示せず）が設けられて、複数のスイッチ接点が形成されている。
【０００６】
また、配線基板３上下面には、発光ダイオード等の電子部品によってリモコン信号を送信する送信手段４や、配線パターンを介して送信手段４や固定接点等に接続された、マイコン等の制御手段５が形成されている。
【０００７】
そして、６は絶縁樹脂製の扉体、７はゴム等の上操作体で、複数の上操作体７が下方に設けられた略ドーム状の薄肉部によって、上下動可能に連結形成されると共に、これらの上操作体７上面は扉体６上面から突出し、上操作体７下面の突出部は扉体６底面から突出して、下操作体２上面に当接している。
【０００８】
また、図５の部分分解斜視図に示すように、扉体６の右方両端には下方へ突出する一対の支持部６Ａが形成されると共に、この支持部６Ａ内側面の支持孔６Ｂが、ケース１右端部に設けられた保持部１Ａ両側面の、保持軸１Ｂに回転可能に挿入され、この支持孔６Ｂを支点として、扉体６がケース１に対して開閉可能に装着されている。
【０００９】
さらに、支持部６Ａ内側面には係合突部６Ｃが、保持部１Ａ側面にはこれと係合する係止溝部１Ｃが設けられ、扉体６を開閉した際に、係止溝部１Ｃ内に圧接した係合突部６Ｃや支持部６Ａの弾性変形によって、扉体６が所定の角度で保持されるようにして、リモコン送信機が構成されている。
【００１０】
なお、扉体６に収納された複数の上操作体７は、電子機器の電源の入／切、或いは音量や選局等の通常頻繁に使用されるものに用いられ、これに対し、ケース１内の複数の下操作体２は、テレビとビデオのモード切換えや時刻設定等の比較的使用頻度の少ないものに用いられる。
【００１１】
また、扉体６とケース１との間には検出スイッチ（図示せず）等が設けられ、扉体６が閉または開いずれの状態にあるのかを制御手段５が検出して、上操作体７と下操作体２のどちらが操作されたかを判別するように構成されている。
【００１２】
以上の構成において、図４に示すように、扉体６が閉じた状態で、例えば扉体６上面から突出した上操作体７Ａを押圧操作すると、略ドーム状の薄肉部が弾性変形して上操作体７Ａが下方へ移動し、この下面の扉体６底面から突出した突出部が下操作体２Ａ上面を押圧する。
【００１３】
そして、下操作体２Ａが同じく下方へ移動して、この下面の可動接点が固定接点と接触してスイッチ接点の電気的接離が行われ、この電気的接離に応じて制御手段５が、送信手段４から赤外線のリモコン信号を電子機器へ送信し、例えば、機器の電源の入／切が遠隔操作によって行われる。
【００１４】
また、保持軸１Ｂに挿入された支持孔６Ｂを支点として扉体６を回転し、扉体６が開いた状態で、ケース１上面から突出した下操作体２Ａを押圧操作すると、略ドーム状の薄肉部が弾性変形して下操作体２Ａが下方へ移動し、この下面の可動接点が固定接点と接触してスイッチ接点の電気的接離が行われる。
【００１５】
そして、この電気的接離に応じて制御手段５が送信手段４からリモコン信号を送信するが、この時、検出スイッチ等によって扉体６が開いた状態であることを制御手段５が検出して、上記とは異なるリモコン信号を電子機器へ送信し、例えば、テレビとビデオのモード切換えや機器の時刻設定等が遠隔操作によって行われる。
【００１６】
つまり、制御手段５が扉体６の開閉状態を検出し、複数の下操作体２を直接押圧操作した場合と、上操作体７を介して押圧操作した場合とでは、異なるリモコン信号を送信することによって、遠隔操作機能を増やし、より多くの操作が可能なように構成されている。
【００１７】
なお、以上のように扉体６の開閉操作を行う際、扉体６を１８０度近くまで開いた状態で下操作体２の操作を行う場合と、９０度前後に開き、扉体６を立てた状態で操作を行う場合があるが、この時、扉体６が閉じる方向に倒れてきたのでは、下操作体２の操作が行いづらくなる。
【００１８】
このため、上述したように、扉体６の右方両端の支持部６Ａ内側面に設けた係合突部６Ｃを、ケース１右端部の保持部１Ａ側面に設けた係止溝部１Ｃに係合させ、係止溝部１Ｃ内に圧接した係合突部６Ｃや支持部６Ａの弾性変形によって、扉体６が所定の角度で保持され、下操作体２の操作が行い易いように構成されているものであった。
【００１９】
なお、この出願の発明に関連する先行技術文献情報としては、例えば、特許文献１が知られている。
【特許文献１】特開平１１−２１３８０３号公報
【発明の開示】
【発明が解決しようとする課題】
【００２０】
しかしながら、上記従来のリモコン送信機においては、扉体６右端部の支持部６Ａに設けた係合突部６Ｃを、ケース１右端部の保持部１Ａに設けた係止溝部１Ｃに係合させ、小さな形状の係合突部６Ｃや撓みづらい形状の支持部６Ａの弾性変形によって、扉体６を所定の角度に保持しているため、十分な保持力が得づらく、また開閉操作の繰返しによって係合突部６Ｃの磨耗も生じ易いという課題があった。
【００２１】
本発明は、このような従来の課題を解決するものであり、簡易な構成で、扉体の確実な開閉操作や保持が可能なリモコン送信機を提供することを目的とする。
【課題を解決するための手段】
【００２２】
上記目的を達成するために本発明は、両端の一対の支持部を支点としてケースに開閉可能に装着された扉体の、支持部間の下面中間部に係合部を設けると共に、ケース端部にこの係合部と係合する係止部を設け、扉体を開くと、扉体の係合部が、ケースの係止部の上面に当接して扉体を開いた状態で保持しうると共に、さらに扉体を開くと、扉体の係合部がケースの係止部の下面に当接して、扉体をさらに開いた状態で保持しうるようにしてリモコン送信機を構成したものであり、扉体の係合部とこれに係合するケースの係止部を大きな形状に形成できると共に、支持部間の扉体全体の撓みによって係合部を係止部に弾接させることができるため、開閉操作による磨耗が少なく扉体の確実な開閉操作が可能であるだけでなく、扉体を１８０度近くまで開いた状態と、９０度前後に開き扉体を立てた状態の複数の角度での保持が可能なリモコン送信機を得ることができるという作用を有する。
【発明の効果】
【００２３】
以上のように本発明によれば、簡易な構成で、扉体の確実な開閉操作や保持が可能なリモコン送信機を実現できるという有利な効果が得られる。
【発明を実施するための最良の形態】
【００２４】
以下、本発明の実施の形態について、図１〜図３を用いて説明する。
【００２５】
なお、背景技術の項で説明した構成と同一構成の部分には同一符号を付して、詳細な説明を簡略化する。
【００２６】
（実施の形態）
図１は本発明の一実施の形態によるリモコン送信機の部分断面図であり、同図において、１１は略箱状でポリスチレンやＡＢＳ等の絶縁樹脂製のケース、２はゴムやエラストマー等の下操作体で、複数の下操作体２が下方に設けられた略ドーム状の薄肉部によって、上下動可能に連結形成されると共に、これらの下操作体２上面がケース１１上面から突出している。
【００２７】
そして、３は紙フェノールやガラス入りエポキシ等の配線基板で、上下面に銅箔等によって複数の配線パターン（図示せず）が形成され、この上面に下操作体２が載置されると共に、配線基板３上面には、各下操作体２下面に形成されたカーボン等の可動接点（図示せず）と、所定の間隙を空けて対向する複数の固定接点（図示せず）が設けられて、複数のスイッチ接点が形成されている。
【００２８】
また、配線基板３上下面には、発光ダイオード等の電子部品によってリモコン信号を送信する送信手段４や、配線パターンを介して送信手段４や固定接点等に接続された、マイコン等の制御手段５が形成されている。
【００２９】
そして、１６は絶縁樹脂製の扉体、７はゴムやエラストマー等の上操作体で、複数の上操作体７が下方に設けられた略ドーム状の薄肉部によって、上下動可能に連結形成されると共に、これらの上操作体７上面は扉体１６上面から突出し、上操作体７下面の突出部は扉体１６底面から突出して、下操作体２上面に当接している。
【００３０】
また、図２の部分分解斜視図に示すように、扉体１６の右方両端には下方へ突出する一対の支持部１６Ａが形成されると共に、この支持部１６Ａ内側面の支持孔１６Ｂが、ケース１１右端部に設けられた保持部１１Ａ両側面の保持軸１１Ｂに回転可能に挿入され、この支持孔１６Ｂを支点として、扉体１６がケース１１に対して開閉可能に装着されている。
【００３１】
さらに、扉体１６右端下面の支持部１６Ａ間の中間部には、下方へ突出する幅広の係合突部１６Ｃが、ケース１１の保持部１１Ａ端部には、これと係合する幅広の係止突部１１Ｃが設けられ、扉体１６を開閉した際に、支持部１６Ａ間の扉体１６全体の撓みによって、係合突部１６Ｃが係止突部１１Ｃに弾接し、扉体１６が所定の角度で保持されるようにして、リモコン送信機が構成されている。
【００３２】
なお、扉体１６に収納された複数の上操作体７は、電子機器の電源の入／切、或いは音量や選局等の通常頻繁に使用されるものに用いられ、これに対し、ケース１１内の複数の下操作体２は、テレビとビデオのモード切換えや時刻設定等の比較的使用頻度の少ないものに用いられる。
【００３３】
また、扉体１６とケース１１との間には、制御手段５に接続された検出スイッチ（図示せず）等が設けられ、扉体１６が閉または開いずれの状態にあるのかを制御手段５が検出して、上操作体７と下操作体２のどちらが操作されたかを判別するように構成されている。
【００３４】
以上の構成において、図１や図３（ａ）の部分断面図に示すように、扉体１６が閉じた状態で、例えば扉体１６上面から突出した上操作体７Ａを押圧操作すると、略ドーム状の薄肉部が弾性変形して上操作体７Ａが下方へ移動し、この下面の扉体１６底面から突出した突出部が下操作体２Ａ上面を押圧する。
【００３５】
そして、下操作体２Ａが同じく下方へ移動して、この下面の可動接点が固定接点と接触してスイッチ接点の電気的接離が行われ、この電気的接離に応じて制御手段５が、送信手段４から赤外線のリモコン信号を電子機器へ送信し、例えば、機器の電源の入／切が遠隔操作によって行われる。
【００３６】
また、保持軸１１Ｂに挿入された支持孔１６Ｂを支点として扉体１６を回転し、扉体１６が開いた状態で、ケース１１上面から突出した下操作体２Ａを押圧操作すると、略ドーム状の薄肉部が弾性変形して下操作体２Ａが下方へ移動し、この下面の可動接点が固定接点と接触してスイッチ接点の電気的接離が行われる。
【００３７】
そして、この電気的接離に応じて制御手段５が送信手段４からリモコン信号を送信するが、この時、検出スイッチ等によって扉体１６が開いた状態であることを制御手段５が検出して、上記とは異なるリモコン信号を電子機器へ送信し、例えば、テレビとビデオのモード切換えや機器の時刻設定等が遠隔操作によって行われる。
【００３８】
つまり、制御手段５が扉体１６の開閉状態を検出し、複数の下操作体２を直接押圧操作した場合と、上操作体７を介して押圧操作した場合とでは、異なるリモコン信号を送信することによって、遠隔操作機能を増やし、より多くの操作が可能なように構成されている。
【００３９】
さらに、以上のように扉体１６の開閉操作を行う際、扉体１６を１８０度近くまで開いた状態で下操作体２の操作を行う場合と、９０度前後に開き、扉体１６を立てた状態で操作を行う場合があるが、この時、図３（ｂ）に示すように、扉体１６を９０度前後まで開くと、右端部の下面中間部の係合突部１６Ｃが、ケース１１の保持部１１Ａ端部の係止突部１１Ｃ上面に当接する。
【００４０】
そして、この後さらに扉体１６を開くと、図３（ｃ）に示すように、係合突部１６Ｃが係止突部１１Ｃを乗り越え、係止突部１１Ｃ下面に当接するが、この時、図２に示したように、係合突部１６Ｃは扉体１６右端部の下面中間部に設けられているため、支持部１６Ａ間の扉体１６全体、即ち扉体１６の幅方向の薄肉部全体が撓んで弾性変形し、この力によって係合突部１６Ｃが係止突部１１Ｃに弾接する。
【００４１】
つまり、扉体１６右方両端の支持部１６Ａ間の中間部に係合突部１６Ｃを設け、これを係止突部１１Ｃに係合させて、扉体１６を９０度前後に保持することで、支持部１６Ａ間の扉体１６全体の撓みによって、係合突部１６Ｃを係止突部１１Ｃに弾接させることができるため、扉体１６の確実な開閉操作や保持が可能となり、扉体１６を開いた時の倒れ等がなく、下操作体２の操作を容易に行うことができるように構成されている。
【００４２】
また、支持部１６Ａ間の扉体１６の下面中間部に係合突部１６Ｃを、ケース１１の保持部１１Ａ端部に係止突部１１Ｃを設けることによって、係合突部１６Ｃやこれと係合する係止突部１１Ｃを、幅広の比較的大きな形状で形成できるため、開閉操作の繰返しによる磨耗も生じづらく、扉体１６の開状態の保持力の低下を防止できるようになっている。
【００４３】
このように本実施の形態によれば、両端の一対の保持部１１Ａを支点としてケース１１に開閉可能に装着された扉体１６の、保持部１１Ａ間の扉体１６の下面中間部に係合突部１６Ｃを設けると共に、ケース１１端部にこれと係合する係止突部１１Ｃを設けることによって、係合突部１６Ｃや係止突部１１Ｃを大きな形状に形成できると共に、保持部１１Ａ間の扉体１６全体の撓みによってこれらを弾接させることができるため、開閉操作による磨耗が少なく、扉体１６の確実な開閉操作や保持が可能なリモコン送信機を得ることができるものである。
【００４４】
なお、以上の説明では、扉体１６の係合突部１６Ｃとケース１１の係止突部１１Ｃを、いずれも凸状に形成し、これらを係合させる構成について説明したが、一方を凸状に他方を凹状に形成し、これらの係合部と係止部を係合させて、扉体１６を開状態に保持する構成としても、本発明の実施は可能である。
【００４５】
また、開閉操作の支点となる扉体１６の一対の支持部１６Ａを、扉体１６右方両端の下方へ突出させ、この内側面の支持孔１６Ｂを保持軸１１Ｂに回転可能に挿入した構成として説明したが、支持部１６Ａの外側面をケース１１に開閉可能に装着した構成や、或いは、支持部１６Ａを扉体１６端部の外方へ突出させた構成としてもよい。
【００４６】
さらに、上操作体７がなく、扉体１６を開閉して下操作体２のみを押圧操作する構成や、下操作体２下面の可動接点と配線基板３上面の固定接点によるスイッチ接点に代えて、配線基板３上面の固定接点上に、略ドーム状で導電金属薄板製の可動接点を載置したものや、或いは配線基板３上に、複数の個別のプッシュスイッチを実装したもの等、様々なスイッチ接点を用いた構成としても、本発明の実施は可能である。
【産業上の利用可能性】
【００４７】
本発明によるリモコン送信機は、簡易な構成で、扉体の確実な開閉操作や保持が可能なものが得られ、主に各種電子機器の操作用として有用である。
【図面の簡単な説明】
【００４８】
【図１】本発明の一実施の形態によるリモコン送信機の部分断面図
【図２】同部分分解斜視図
【図３】同部分断面図
【図４】従来のリモコン送信機の部分断面図
【図５】同部分分解斜視図
【符号の説明】
【００４９】
２、２Ａ  下操作体
３  配線基板
４  送信手段
５  制御手段
７、７Ａ  上操作体
１１  ケース
１１Ａ  保持部
１１Ｂ  保持軸
１１Ｃ  係止突部
１６  扉体
１６Ａ  支持部
１６Ｂ  支持孔
１６Ｃ  係合突部
【図１】
0004457993.tif 000002
【図２】
0004457993.tif 000003
【図３】
0004457993.tif 000004
【図４】
0004457993.tif 000005
【図５】
0004457993.tif 000006